(57)【要約】【課題】本発明は、高い剛性で構成でき、しかも、必要に応じて連結部材を容易に着脱することのできるペット用ケージの提供することを目的とする。【解決手段】複数のフェンス１１を着脱自在に連結する連結部材１２（２６，２７）を備え、隣り合う上記フェンス１１の間には、柱体２２を備え、上記連結部材１２には、基部２３と該基部２３から外側へ突き出した保持片２４とを備えて形成し、上記基部２３には、上記柱体２２を取り付ける柱体取付け部２５を備え、上記保持片２４における上記基部２３側には、上記フェンス１１の幅方向における端部側に配した桟１５を保持する第一フェンス保持部３３を備え、上記保持片２４における先端側には、上記フェンス１１の幅方向における上記端部側よりも中途部側に配した桟１６を保持する第二フェンス保持部３４を備えたペット用ケージ１０。【選択図】図１
2008193958.tif 000002
【特許請求の範囲】
【請求項１】
複数のフェンスによって構成されるペット用ケージであって、
上記フェンスどうしを着脱自在に連結する連結部材を備え、
隣り合う上記フェンスの間には、柱体を備え、
上記連結部材には、基部と該基部から外側へ突き出した保持片とを備えて形成し、
上記基部には、上記柱体を取り付ける柱体取付け部を備え、
上記保持片における上記基部側には、上記フェンスの幅方向における端部側に配した桟を保持する第一フェンス保持部を備え、
上記保持片における先端側には、上記フェンスの幅方向における上記端部側よりも中途部側に配した桟を保持する第二フェンス保持部を備えた
ペット用ケージ。
【請求項２】
上記連結部材は、上記保持片を２つ備え、これら保持片を、互いに隣りあう上記フェンスを直角状に連結可能に形成した直角連結部材である
請求項１に記載のペット用ケージ。
【請求項３】
上記連結部材は、上記保持片を２つ備え、これら保持片を、互いに隣りあう上記フェンスを直線状に連結可能に形成した直線連結部材である
請求項１に記載のペット用ケージ。
【請求項４】
上記第一フェンス保持部は、縦方向の桟を差し込み可能な穴状又は孔状であり、
上記第二フェンス保持部は、縦方向の桟、及び、横方向の桟を嵌め込み可能な溝形状である
請求項１から請求項３のうちいずれか１項に記載のペット用ケージ。
【請求項５】
上記連結部材の上記基部に、ペット用ケージ本体の内側に配した上記フェンスにおける桟を保持する第三フェンス保持部を備えた
請求項１から請求項４のうちいずれか１項に記載のペット用ケージ。
【請求項６】
上記柱体取付け部を、上記柱体の長さ方向の端部を差込可能な貫通孔により形成するとともに、締結部材により上記連結部材と上記柱体とを一体に取付け可能に形成した
請求項１から請求項５のうちいずれか１項に記載のペット用ケージ。
【発明の詳細な説明】
【技術分野】
【０００１】
この発明は、犬や猫などのペットを収容しておくためのペット用ケージに関し、さらに詳しくは、主に複数のフェンスと、該複数のフェンスを連結する連結部材とを備えて構成されるペット用ケージに関する。
【背景技術】
【０００２】
上述したペット用ケージは、複数のフェンスを連結部材により一体に連結した後でも、収納する際や持ち運びの際には、必要に応じて連結部材を取り外してフェンスどうしを分離し、コンパクトな形態に分解できることが望まれる。
【０００３】
その一方で、上述したペット用ケージは、一旦、一体に組み立てた後は、内側でペットが動作しても、その衝撃や振動によって連結部材の連結が外れたりガタついたりすることがなく、しっかりとその形態に保たれることが望まれる。
【０００４】
ところで、特許文献１には、金網（２）間に配した柱材（１Ａ，…）を、金網（２）の連結を兼ねた連結部材として用いる形態のペット用ケージが開示されている。
【０００５】
上記柱材（１Ａ，…）は、その幅方向の両側に長手方向に沿って設けられた第１の溝と、該第１の溝の側方を向き、長手方向に設けられた第２の溝とを備えている。
【０００６】
複数の金網（２）は、該金網（２）を構成する横桟（２ｂ）の先端側を、上記柱材（１Ａ，…）における上記第１の溝に嵌め込むとともに、金網（２）を構成する周縁側に有する縦桟（２ａ）を上記柱材（１Ａ，…）における上記第２の溝に嵌め込むことで互いに連結することができる。
【０００７】
特許文献１におけるペット用ケージは、上述したような構成であるため、金属（２）どうしを分離する際には、いちいち金網（２）に対して柱材（１Ａ，…）をその長手方向に沿ってスライドさせる必要があり、分解するのに手間を要するといった難点を有する。
【０００８】
また、特許文献１におけるペット用ケージは、その内側でペットが金網（２）に接触するなどして殊に、金網（２）に対して垂直方向の負荷が作用した場合、柱材（１Ａ…）の第１溝（側壁（４ｃ））と、金網（２）の横桟（２ａ）とが点接触した状態でその荷重を受けることになる。  
すなわち、柱材（１Ａ…）は、このような負荷に対して金網（２）を十分な強度、剛性を有した状態で連結しているとはいい難い。
【特許文献１】実開昭６３−１０３２６４号公報
【発明の開示】
【発明が解決しようとする課題】
【０００９】
そこでこの発明は、高い剛性で構成でき、しかも、必要に応じて連結部材を容易に着脱することのできるペット用ケージの提供することを目的とする。
【課題を解決するための手段】
【００１０】
本発明のペット用ケージは、複数のフェンスによって構成されるペット用ケージであって、上記フェンスどうしを着脱自在に連結する連結部材を備え、隣り合う上記フェンスの間には、柱体を備え、上記連結部材には、基部と該基部から外側へ突き出した保持片とを備えて形成し、上記基部には、上記柱体を取り付ける柱体取付け部を備え、上記保持片における上記基部側には、上記フェンスの幅方向における端部側に配した桟を保持する第一フェンス保持部を備え、上記保持片における先端側には、上記フェンスの幅方向における上記端部側よりも中途部側に配した桟を保持する第二フェンス保持部を備えたことを特徴とする。
【００１１】
上記フェンスとは、例えば、金網で構成したパネルを挙げることができる。
【００１２】
上記連結部材は、上記保持片を２つ備え、これら保持片を、互いに隣りあう上記フェンスを直角状に連結可能に形成した直角連結部材であることが好ましい。
【００１３】
上記構成により、直角連結部材は、隣り合うフェンスどうしを直角状に連結することができる。このため、例えば、ペット用ケージを通常、よく用いられる平面視正方形状、矩形状の形態で構成でき、このような形態のペット用ケージの隅部（角部）は、高い剛性を備えて構成することができる。
【００１４】
また、上記連結部材は、上記保持片を２つ備え、これら保持片を、互いに隣りあう上記フェンスを直線状に連結可能に形成した直線連結部材であってもよい。
【００１５】
上記構成により、直線連結部材は、隣り合うフェンスどうしを直線状に連結することができる。このため、例えば、フェンスどうしを直線状に連結した殊にペット用ケージの辺部におけるフェンスどうしの連結部位は、高い剛性を備えて構成することができる。
【００１６】
さらに、上述した直角連結部材と直線連結部材と組み合わることにより、ペットの成長、ペットの大きさに応じて様々な形態のペット用ケージを構成することが可能となる。
【００１７】
なお、連結部材は、上述したように２つの保持片を備えた形態に限らず、３つ、或いは、４つなど２つ以上の保持片を備えた形態であってもよく、ペット用ケージは、これら異なる形態の連結部材を組み合わせて構成することもできる。
【００１８】
さらに、２つの保持片は、互いのなす角が上述したように直角状（９０度）、或いは、直線状（１８０度）になる形態に限らず、３０度や６０度など、他の角度になる形態であってもよい。
【００１９】
また、本発明のペット用ケージは、上記第一フェンス保持部は、縦方向の桟を差し込み可能な穴状又は孔状であり、上記第二フェンス保持部は、縦方向の桟、及び、横方向の桟を嵌め込み可能な溝形状であることが好ましい。
【００２０】
このように上記第一フェンス保持部を、フェンスにおける縦方向の桟を差し込み可能な穴状又は孔状で形成することにより、穴状又は孔状の上記第一フェンス保持部の内周全体で縦方向の桟の差し込み部分をしっかりと保持することができる。これにより、殊に、フェンスが幅方向へガタつくことを防止することができる。
【００２１】
加えて、上述したように上記第二フェンス保持部を、フェンスにおける縦方向の桟、及び、横方向の桟を嵌め込み可能な溝形状で形成することにより、溝形状で形成した上記第二フェンス保持部の縁部全体で面状、或いは、線状に接触しながらフェンスをしっかりと保持することができる。
【００２２】
従って、ペット用ケージは、このような２つの異なる保持形態により保持することにより、連結部材がフェンスを高い剛性を備えて構成することができる。
【００２３】
また、本発明のペット用ケージは、上記連結部材の上記基部に、ペット用ケージ本体の内側に配した上記フェンスにおける桟を保持する第三フェンス保持部を備えた構成であることが好ましい。
【００２４】
このように上記連結部材の上記基部に、上記第三フェンス保持部を備えることにより、上記第三フェンス保持部に、ペット用ケージ本体の内側に配した上記フェンスの桟を保持させることができる。これにより、ペット用ケージは、その内側に仕切り用のフェンスを備えることができる。
【００２５】
なお、上記連結部材は、ペット用ケージ内側に突設した保持片を備えた形態で形成し、該保持片における上記第一フェンス保持部、及び、上記第二フェンス保持部に仕切り用のフェンスを取り付け可能な形態であってもよい。
【００２６】
さらにまた、本発明のペット用ケージは、上記柱体取付け部を、上記柱体の長さ方向の端部を差込可能な貫通孔により形成するとともに、締結部材により上記連結部材と上記柱体とを一体に取付け可能に形成することが好ましい。
【００２７】
ここで、締結部材としては、例えば、ボルトや螺子を挙げることができる。
【００２８】
上記構成により、上記柱体の長さ方向の両端部を、それぞれ上記柱体取付け部に差し込み、さらに、締結部材により上記連結部材と上記柱体とを一体に締結することができる。これにより、上記柱体の長さ方向の両端部側に有する連結部材によってフェンスをしっかりと保持することができる。
【００２９】
従って、上記連結部材と上記柱体との一体性が向上し、フェンスどうしの連結部位の剛性が向上するとともに、殊にペット用ケージが上下に振動しても上記柱体の上下各端部側からフェンスが不用意に外れないよう連結部材により強固に連結することができる。
【発明の効果】
【００３０】
本発明のペット用ケージは、複数のフェンスを連結部材により連結したとき、該連結部材における保持片は、それぞれのフェンスを２つの保持形態により、しっかりと保持することができる。
【００３１】
すなわち、フェンスの幅方向における端部側に配した桟を、連結部材における第一フェンス保持部により保持するとともに、フェンスの幅方向における上記端部側よりも中途部側に配した桟を、連結部材における第二フェンス保持部により保持する保持形態をとる。
【００３２】
しかも、連結部材における基部は、柱体に取り付けるため、複数のフェンス間の連結部分における強度も確保することができる。
【００３３】
従って、本発明のペット用ケージは、例えば、ペットが内部で暴れるなどしても、フェンス自体がガタついたり、不用意にフェンスどうしの連結が外れたりせず、高い剛性を確保することができる。
【００３４】
また、本発明のペット用ケージは、上述したように高い剛性を備え、不用意にフェンスどうしの連結が外れてしまうことがない一方で、連結部材は着脱可能であるため、フェンスどうしを意図的に容易に分離することが可能である。  
このため、本発明のペット用ケージは、例えば、ペットの成長に応じてその形態を変更することも可能となる。
【発明を実施するための最良の形態】
【００３５】
この発明の一実施形態を以下図面と共に説明する。  
本実施形態におけるペット用ケージ１０の構成について、図１から図７を用いて説明する。  
なお、図１は、本実施形態のペット用ケージ１０（１０Ａ）の一実施形態における外観図である。図２（ａ），（ｂ）は、それぞれ図１に示した形態のペット用ケージ１０の正面図、右側面図であり、図３（ｃ），（ｄ）は、それぞれ図１に示した形態のペット用ケージ１０の平面図（ｃ）、図３（ｃ）におけるＡ−Ａ断面図（ｄ）である。  
また、図４（ａ−１），（ａ−２）は、いずれも後述する直角連結部材２６の外観図である。図５は、直角連結部材２６によりフェンス１１を連結した様子を示す説明図であり、図５（ａ）は、図３の拡大図、図５（ｂ）は、図５（ａ）のＢ−Ｂ断面図であり、図５（ｃ）は、図５（ｂ）のＣ−Ｃ断面図である。  
図６（ｂ−１），（ｂ−２）は、いずれも後述する直線連結部材２７の外観図である。図７は、直線連結部材２７によりフェンス１１を連結した様子を示す説明図であり、図７（ａ）は、図３の領域Ｙの拡大図、図７（ｂ）は、図７（ａ）のＤ−Ｄ断面図、図７（ｃ）は、図７（ｂ）のＥ−Ｅ断面図である。
【００３６】
本実施形態におけるペット用ケージ１０は、金網により面状に構成された複数枚のフェンス１１を連結部材１２によって連結することにより一体に構成している。  
ペット用ケージ１０の外周は、図３（ｃ）に示すように上記複数のフェンス１１によって平面視矩形に構成している。さらに、ペット用ケージ１０の内側は、図３（ｄ）に示すような仕切り用のフェンス１１Ｂ１によって、平面視左側の部屋（空間）と、平面視右側の部屋（空間）とで、それぞれの大きさが約１：３の配分になるよう区分けしている。  
平面視左側の部屋は、トイレ用の部屋（以下、「トイレルームＴＲ」という。）であり、平面視右側の部屋は、食事、就寝など日常的に利用する部屋（以下、「リビングルームＬＲ」という。）である。
【００３７】
トイレルームの床面には、吸水シートを載置した尿受けトレイ１３を設置している。リビングルームには、クッションマットなどを適宜、設置している。
【００３８】
上記複数のフェンス１１は、それぞれ縦方向の桟と横方向の桟とを交差させて格子状に構成している。上記フェンス１１の外周側には、正面視矩形状をした閉ループ状の桟（外周桟１４）を構成している。さらに上記フェンス１１は、上記外周桟１４の幅方向の両側から横方向に配した桟の端部を突き出し、その幅方向の両端部には、縦方向に配した桟を固着している（図５（ｂ）、図６（ｂ）参照）。
【００３９】
このフェンス１１の幅方向の両端部における縦方向に配した桟は、その上下各端部が、後述するが連結部材１２に保持されることになる。ここで、この縦方向に配した桟の上下各端部を、第一フェンス被保持部１５に設定する（図５、図６参照）。
【００４０】
さらに上記フェンス１１における上記外周桟１４の隅部も、連結部材１２によって保持されることになるため、該外周桟１４の隅部を、第二フェンス被保持部１６に設定する（図５、図６参照）。
【００４１】
また、複数のフェンス１１は、合計７枚から構成し、幅方向の長さが異なる大型、中型、小型の３種類のフェンス１１を備えている。  
なお、大型、中型、小型のフェンス１１の幅比は、目安としてそれぞれ約４７：３３：２５で構成している。
【００４２】
７枚のフェンス１１のうち大型のフェンス１１Ａ（大型フェンス１１Ａ）は、２枚有し、該２枚の大型フェンス１１Ａのうち一方のフェンス１１Ａは、扉１８Ａ付のフェンス１１Ａ１（扉付大型フェンス１１Ａ１）であり、他方のフェンス１１Ａは、扉のないフェンス１１Ａ２（扉なし大型フェンス１１Ａ２）である。  
中型のフェンス１１Ｂ（中型フェンス１１Ｂ）は、３枚有し、３枚のうち１枚のフェンス１１Ｂは、扉１８Ｂ付のフェンス１１Ｂ１（扉付き中型フェンス１１Ｂ１）であり、その他の２枚のフェンス１１Ｂ２は、いずれも扉のないフェンス１１Ｂ２（扉なし中型フェンス１１Ｂ２）である。
【００４３】
小型のフェンス１１Ｃは、２枚有し、いずれも扉のないフェンス１１Ｃ（小型フェンス１１Ｃ）である。
【００４４】
なお、上記扉付大型フェンス１１Ａ１、及び、扉付き中型フェンス１１Ｂ１は、いずれも出入り口の縁部においてヒンジによって開閉可能に軸支されている。  
さらに上記扉１８Ａ，１８Ｂは、出入り口を開状態、閉状態のいずれの状態にでも留めておくことのできるロック部材１９を備えている。
【００４５】
具体的に、ペット用ケージ１０の正面（前面）は、扉付大型フェンス１１Ａ１と小型フェンス１１Ｃとを面状に連結し（図２（ａ）参照）、背面は、扉なし大型フェンス１１Ａ２と小型フェンス１１Ｃとを面状に連結している。さらに、左側面、及び、右側面のそれぞれは、扉なし中型フェンス１１Ｂ２により構成している（右側面は、図２（ｂ）参照）。さらにまた、上述した仕切り用のフェンスは、扉付き中型フェンス１１Ｂ１によって構成している（図３（ｄ）参照）。  
また、ペット用ケージ１０は、隣り合うフェンス１１間において柱体２２を具備している。上記柱体２２は、隣り合うフェンス１１間において起立状態に配されている。隣り合うフェンス１１、及び、柱体２２は、その柱体２２の上下各端部において上記連結部材１２（２６，２７）によって一体に連結されている。柱体２２は、フェンス１１を構成する桟よりも大径をした棒状に形成するとともに、その軸方向の各端部には、ボルト１７を挿通可能に外周部に雌螺部が形成された孔部２２ａを形成している（図５（ｂ）、図７（ｂ）参照）。
【００４６】
また、上記連結部材１２は、略全体を樹脂成形により形成している。さらに、上記連結部材１２は、その中央部に有する基部２３と該基部２３から外側へ片状に突き出した２つの保持片２４（２４ａ，２４ｂ）とを備えて形成している。
【００４７】
さらに、上記連結部材１２は、図４（ａ−１），（ａ−２）、及び、図５（ａ），（ｂ），（ｃ）に示すような直角連結部材２６と図６（ｂ−１），（ｂ−２）、及び、図７（ａ），（ｂ），（ｃ）に示すような直線連結部材２７との２種類の形態のものを具備している。
【００４８】
上記直角連結部材２６は、平面視したとき２つの保持片２４の相対角度が直角形状（Ｌ字型）に形成している。一方、直線連結部材２７は、平面視したとき２つの保持片２４ａ，２４ｂの相対角度が１８０度である直線形状に形成している。  
これら２種類の連結部材１２（２６，２７）は、図３（ｃ）、図５、及び、図７に示すように、それぞれフェンス１１どうしを連結する連結部位の形態に応じて使い分けて用いられる。
【００４９】
具体的に上記直角連結部材２６は、合計８つ備え、それぞれを、平面視矩形状をしたペット用ケージ１０における４つの隅部であって該各隅部の上下各端部におけるフェンス１１どうしの連結部位に備えている（図１、図２、及び、図３参照）。
【００５０】
一方、上記直線連結部材２７は、合計４つ備え、それぞれを平面視矩形状をしたペット用ケージ１０における長辺部の中途部であって、該各長辺部の中途部の上下各端部におけるフェンス１１どうしの連結部位に備えている（図１、図２、及び、図３参照）。  
さらに詳しくは、上記直線連結部材２７は、上記扉付き大型フェンス１１Ａ１、小型フェンス１１Ｃ、及び、区分け用の扉付き中型フェンス１１Ｂ１との正面側における連結部位、並びに、上記扉なし大型フェンス１１Ａ２、小型フェンス１１Ｃ、及び、区分け用の扉付き中型フェンス１１Ｂ１との背面側における連結部位に備えている。
【００５１】
また、図４から図７に示したように連結部材１２（直角連結部材２６、直線連結部材２７）における上記基部２３には上記柱体２２を取り付け可能に貫通した柱体取付け孔２５を形成している。該柱体取付け孔２５の周縁部には、ボルト１７の頭部を設置可能に段状（ざぐり形状）に形成している（図４（ａ−１）、図５（ｂ）、図６（ｂ−１）、図７（ｂ）参照）。
【００５２】
さらにまた、上記保持片２４における上記基部２３側（突き出し方向と反対側）には、上記フェンス１１における上記第一フェンス被保持部１５を保持可能に貫通した第一フェンス保持孔３３を備えている。
【００５３】
上記保持片２４の突き出し方向における先端側には、上記フェンス１１の中途部に有する上記第二フェンス被保持部１６を保持可能に溝状に形成した第二フェンス保持溝３４を備えている。
【００５４】
また、直線連結部材２７における基部２３における、２つの保持片２４ａ，２４ｂのなす角を２等分する線上には、仕切り用のフェンス１１を保持すべく仕切り用のフェンス１１の上記第一フェンス被保持部１５を差込可能に貫通させた第三フェンス保持孔３５を備えている（図６、図７（ａ），（ｃ）参照）。
【００５５】
続いて上記複数のフェンス１１、柱体２２を連結部材１２により連結する手順について説明する。  
まず、直角連結部材２６を用いてフェンス１１どうしを連結する手順について図８を用いて説明する。  
なお、図８は、ペット用ケージ１０の背面部に有する小型フェンス１１Ｃと左側面部に有する扉なし中型フェンス１１Ｂ２とを連結する様子を示している。
【００５６】
柱体２２の軸方向の両側におけるいずれか一方の端部において、直角連結部材２６を配置する。このとき、直角連結部材２６における第二フェンス保持溝３４が柱体２２の側へ向くよう配置させる。
【００５７】
そして、柱体２２の軸方向における一方の端部を、直角連結部材２６における柱体取付け孔２５に差し込む（図８の要部拡大図中の手順１参照）。
【００５８】
さらに、直角連結部材２６における各保持片２４に、該各保持片２４に対応するフェンス１１を保持させる。  
具体的にこのとき、フェンス１１における第一フェンス被保持部１５を、直角連結部材２６における第一フェンス保持孔３３に差し込む（図８の要部拡大図中の手順２参照）。それとともに、フェンス１１における第二フェンス被保持部１６を、直角連結部材２６における第二フェンス保持溝３４に嵌め込む（図８の要部拡大図中の手順３参照）。
【００５９】
さらにまた、柱体取付け孔２５における上記柱体２２の差し込み方向と反対側からボルト１７を、柱体２２の孔部２２ａにまで差し込むと同時に、該ボルト１７と、柱体２２の上記孔部２２ａに形成した雌螺部とを螺合させる（図８の要部拡大図の手順４参照）。
【００６０】
そして、柱体２２の軸方向における他方の端部においても上述した手順と同様の手順により、直角連結部材２６を取り付けることにより、柱体２２の上下各端部からフェンス１１を連結保持させることができる。  
続いて長辺部の中途部において直線連結部材２７を用いてフェンス１１どうしを連結する手順について図９、及び、図１０を用いて説明する。  
なお、図９は、ペット用ケージ１０の背面部において小型フェンス１１Ｃと扉なし大型フェンス１１Ａ２を連結する様子を示している。さらに図１０は、背面部おいてさらに、仕切り用のフェンス１１Ｂ１を連結する様子を示している。
【００６１】
上述と同様に柱体２２の軸方向の両端部におけるいずれか一方の端部を、直線連結部材２７における柱体取付け孔２５に差し込む（図９の要部拡大図中の手順１参照）。
【００６２】
さらに、フェンス１１における第一フェンス被保持部１５を、直線連結部材２７における第一フェンス保持孔３３に差し込むとともに（図９の要部拡大図中の手順２参照）、フェンス１１における第二フェンス被保持部１６を、直角連結部材２６における第二フェンス保持溝３４に嵌め込む（図９の要部拡大図中の手順３参照）。
【００６３】
そして、柱体取付け孔２５における上記柱体２２の差し込み方向と反対側からボルト１７を、柱体２２の孔部２２ａにまで差し込むと同時に、該ボルト１７と、柱体２２の上記孔部２２ａに形成した雌螺部とを螺合させる（図９の要部拡大図の手順４参照）。
【００６４】
さらにまた、図１に示した形態のペット用ケージ１０Ａにおいては、直線連結部材２７により、仕切り用のフェンス１１も一体に連結されている。
【００６５】
具体的には、図１０に示すように、柱体２２の軸方向における一方の端部において柱体２２、及び、隣り合うフェンス１１を直線連結部材２７により取り付ける際に、直線連結部材２７の第三フェンス保持孔３５に仕切り用の扉付き中型フェンス１１Ｂ１の第一フェンス被保持部１５を差し込んでおく（図１０の要部拡大図の手順１参照）。
【００６６】
その状態から柱体２２の軸方向における他方の端部から上述したように、側面部を構成するフェンス１１Ｃ，１１Ａ２を柱体２２に連結する際に、直線連結部材２７の第三フェンス保持孔３５に仕切り用の扉付き中型フェンス１１Ｂ１の第一フェンス被保持部１５を差し込む（図１０の要部拡大図の手順２参照）。
【００６７】
そして、ボルト１７を直線連結部材２７に差し込んで該ボルト１７と柱体２２の端部に有する孔部２２ａに形成した雌螺部とを螺合させることにより、仕切り用の扉付き中型フェンス１１Ｂ１も一体に連結することができる（図１０の要部拡大図の手順３参照）。
【００６８】
ペット用ケージ１０における他の隅部、及び、中途部においても、上述した手順と同様の手順で適宜、隣り合うフェンス１１どうしを連結することにより図１に示した形態のペット用ケージ１０Ａを構成することができる。
【００６９】
本実施形態のペット用ケージ１０は、以下のような作用、効果を奏することができる。  
連結部材１２は、１枚のフェンス１１の隅部を所定の２部位で保持することができる。すなわち、連結部材１２における第一フェンス保持孔３３、第二フェンス保持溝３４によってフェンス１１におけるそれぞれ第一フェンス被保持部１５、第二フェンス被保持部１６を保持することができる。
【００７０】
これにより、高い剛性を確保した状態でペット用ケージ１０を構成することができ、ペットが内部で激しく動いてもガタついたり、連結部材１２の連結が取り外れたりしてしまうことがない。
【００７１】
殊に、フェンス１１における第一フェンス被保持部１５を、連結部材１２における第一フェンス保持孔３３に差し込むことにより、フェンス１１の桟（第一フェンス被保持部１５）の外周全体を、連結部材１２に有する孔（第一フェンス保持孔３３）の内周全体で強固に保持することができ、殊にフェンス１１がガタつくことを防止することができる。  
さらに、フェンス１１における第二フェンス被保持部１６を、連結部材１２における第二フェンス保持溝３４に嵌め込むことにより、第二フェンス被保持部１６（フェンス１１の隅部）は、該第二フェンス保持溝３４の縁部に面状、或いは、線状に接触し、この状態でしっかりと保持することができる。
【００７２】
また、柱体２２と連結部材１２とは、ボルト１７により一体に螺合しているため、柱体２２と連結部材１２との一体性が向上し、より剛性が向上する。
【００７３】
従って、例えば、ペットが内部で騒いでもガタついたりせず、その形態に維持することができる。
【００７４】
また、仕切り用のフェンス１１Ｂ１は、その第一フェンス被保持部１５を直線連結部材２７の第三フェンス保持孔３５に差し込むことによる一部位のみの保持形態をとる。ところが、ペット用ケージ１０の側面部を構成する各フェンス１１どうしを上述したように直角連結部材２６、及び、直線連結部材２７により、強固に連結している。これら連結部材１２（２６，２７）により、側面部を構成する各フェンス１１をとともに仕切り用のフェンス１１も一体に連結している。
【００７５】
このため、側面部を構成する各フェンス１１が連結部材１２（２６，２７）により強固に連結されている限り、仕切り用のフェンス１１が取り外れたり、ガタついたりすることがなくしっかりと連結することができる。
【００７６】
また、本実施形態におけるペット用ケージ１０は、上述したように高い剛性で構成することができる反面、必要に応じて分解することも可能である。  
例えば、図１の形態のペット用ケージ１０は、成長に応じて好適な形態に適宜変更して用いることができる。
【００７７】
具体的に、ペット用ケージ１０Ａは、ペットが生まれて数ヶ月の幼い間は、図１に示した形態（スターターモード）として用いることができ、ペットの排泄に関するしつけ用に用いるに好適である。
【００７８】
この形態での実施例を簡単に説明しておく。  
通常は、ペットは、ペット用ケージ１０ＡにおけるリビングルームＬＲに格納させておく。ペットに餌や水を与えた後、扉付き中型フェンス１１Ｂ１の扉を開放し、ペットを、出入り口（開口部）を通じてリビングルームＬＲからトイレルームＴＲへ移動させる。このとき、仕切り用の扉付き中型フェンス１１Ｂ１に備えた扉１８Ｂを閉状態にしてロックしておく。これにより、ペットをトイレルームＴＲに格納しておくことができる。
【００７９】
そして、ペットがトイレルームＴＲにおいて排泄すれば、再度、中型フェンス１１Ｂの扉１８Ｂを開放し、出入り口を通じてペットを、リビングルームＬＲに移動させる。
【００８０】
このような行動をペットに習慣付けることにより、ペットにトイレ専用の部屋とそれ以外の部屋との区別をさせることができる。
【００８１】
やがてペットが成長し、上述したようなトイレルームＴＲで用をたすというしつけをすることができ次第、ペット用ケージ１０Ｂは、仕切り用の扉付き中型フェンス１１Ｂ１のみを取り外した形態（フリーモード）で用いることができる。  
なお、図１１のように取り外した扉付き中型フェンス１１Ｂ１を右側面部に配してもよい。
【００８２】
これにより、ペットは、仕切り用のフェンス１１がなくとも、トイレルームＴＲで排泄するようしつけられているため、衛生的であるとともに飼い主にとって掃除も容易である。さらに、ペットは、成長して大きくなっても仕切り用のフェンス１１のない平面矩形状の内部空間でゆったりと利用できるとともに、開放感を得ることができる。
【００８３】
さらに例えば、ペットがさらに成長して大きくなった場合は、ペット用ケージ１０Ｃは、図１２に示すような形態（エキスパンジョンモード）に変更することができる。図１に示した形態において仕切り用に用いていた扉付き中型フェンス１１Ｂ１が、本実施形態においては側面部の一部になるよう連結部材１２を用いて連結している。
【００８４】
これにより、ペット用ケージ１０Ｃは、上述したいずれの形態で用いるよりも大きな外周長さの有した平面視略正方形状のペット用ケージ１０Ｃとして用いることができる。
【００８５】
その他にも、ペット用ケージ１０Ｄは、通常、よく用いられる図１３に示すような一般的な形態（レギュラーモード）に変更して用いることも可能である。
【００８６】
このように本発明におけるペット用ケージは、ペットの成長に応じて段階的に形態を変更でき、また、このように成長に応じて形態変更すれば足りるため、頻繁に分解せずに用いる場合に好適である。
【００８７】
また、ペット用ケージ１０は、一旦、上述したいずれかの形態で構成すれば、連結部材１２によりフェンス１１を強固に連結することができるため、高い剛性を確保することができる。
【００８８】
さらにまた、ペット用ケージ１０は、大型犬や小型犬などペットのサイズや、室内や屋外などペットを飼育場所に応じて好適な形態で用いることもできる。また、仕切り用のフェンスは、扉付き中型フェンス１１Ｂ１に限らず、扉のないフェンスで仕切ることもでき、この場合、例えば、２匹のペットを、それぞれの空間ごとに格納した状態で用いることができる。
【００８９】
また、上述した実施形態と、この発明の構成との対応において、この実施形態の柱体取付け孔２５は、この発明の柱体取付け部、及び、貫通孔に対応し、以下同様に、
第一フェンス被保持部１５は、上記フェンスの端部に有する桟に対応し、
第二フェンス被保持部１６は、フェンスの中途部に有する桟に対応し、
第一フェンス保持孔３３は、第一フェンス保持部、及び、ペット用ケージ本体の内側に配した上記フェンスの桟に対応し、
第二フェンス保持溝３４は、第二フェンス保持部に対応し、
第三フェンス保持孔３５は、第三フェンス保持部に対応し、
ボルト１７は、締結部材に対応するも、
この発明は、上述の実施形態の構成のみに限定されるものではなく、多くの実施の形態を得ることができる。
【図面の簡単な説明】
【００９０】
【図１】本実施形態におけるペット用ケージの外観図。
【図２】本実施形態におけるペット用ケージの正面図（ａ）、右側面図（ｂ）。
【図３】本実施形態におけるペット用ケージの平面図（ｃ）、図３（ｃ）におけるＡ−Ａ断面図（ｄ）。
【図４】本実施形態のペット用ケージにおける直角連結部材の外観図。
【図５】本実施形態のペット用ケージにおける直角連結部材の構成説明図。
【図６】本実施形態のペット用ケージにおける直線連結部材の外観図。
【図７】本実施形態のペット用ケージにおける直線連結部材の構成説明図。
【図８】本実施形態におけるペット用ケージの構成手順を説明する説明図。
【図９】本実施形態におけるペット用ケージの構成手順を説明する説明図。
【図１０】本実施形態におけるペット用ケージの構成手順を説明する説明図。
【図１１】本実施形態におけるペット用ケージの外観図。
【図１２】本実施形態におけるペット用ケージの外観図。
【図１３】本実施形態におけるペット用ケージの外観図。
【符号の説明】
【００９１】
１０（１０Ａ，１０Ｂ，１０Ｃ，１０Ｄ）…ペット用ケージ
１１…フェンス
１１Ｂ１…扉付き中型フェンス（仕切り用のフェンス）
１２…連結部材
１７…ボルト
２２…柱体
２３…基部
２４…保持片
２５…柱体取付け孔
２６…直角連結部材
２７…直線連結部材
３３…第一フェンス保持孔
３４…第二フェンス保持溝
３５…第三フェンス保持孔
【図１】
2008193958.tif 000003
【図２】
2008193958.tif 000004
【図３】
2008193958.tif 000005
【図４】
2008193958.tif 000006
【図５】
2008193958.tif 000007
【図６】
2008193958.tif 000008
【図７】
2008193958.tif 000009
【図８】
2008193958.tif 000010
【図９】
2008193958.tif 000011
【図１０】
2008193958.tif 000012
【図１１】
2008193958.tif 000013
【図１２】
2008193958.tif 000014
【図１３】
2008193958.tif 000015